(57)【要約】【課題】  使用者が長期間着用した草履またはサンダルの靴中底である場合は水溜りなどを通過した際には、容易に靴中底に水が滞留して排出することができないため、それを着用している使用者の足元は湿気を帯びて滑り易くなり、不快であるという欠点を改善することである。【解決手段】  本考案は草履、サンダルの靴中底構造の改良に関するものであり、当該靴中底は楕円状プラスチック（例えばＥＶＡ（エチレン−酢酸ビニル重合体））による積層成形であり、各楕円状プラスチックの密接箇所は相互に融合して接続されており、当該靴中底は全体として均一に分布した不規則状の間隙が形成されているとともに中空現象は発生していないため、それにより当該均一に分布した不規則状の間隙は靴中底の通気、排水並びに重量軽減という目的を達成することが可能である。【選択図】  図１
0003107284.tif 000002
【実用新案登録請求の範囲】
【請求項１】
草履、サンダル靴中底構造の改良であり、当該靴中底は楕円状プラスチック（例えばＥＶＡ（エチレン−酢酸ビニル重合体））による積層成形であり、かつ当該靴中底の各表面は凹凸状の不規則面として成形されており、各楕円状プラスチックの密接箇所はすべて相互に融合して接続されており中空現象は発生せず、当該靴中底には全体として均一に分布した不規則状の間隙が形成されていることを特徴とする草履、サンダルの靴中底構造の改良。
【請求項２】
当該楕円状プラスチック（例えばＥＶＡ（エチレン−酢酸ビニル重合体））により、当該靴中底の成形には水晶のような視覚効果が付与され、成形過程において色材を加えることにより、当該靴中底の色彩変化は豊富になることを特徴とする請求項１記載の草履、サンダルの靴中底構造の改良。
【考案の詳細な説明】
【技術分野】
【０００１】
本考案は草履、サンダルの靴中底構造の改良であり、それは楕円状プラスチック（例えばＥＶＡ（エチレン−酢酸ビニル重合体））により積層成形されており、各楕円状プラスチックの密接箇所は相互に融合して接続されているため、全体として均一に分布した不規則状の間隙が形成されているとともに中空現象は発生していない草履、サンダルの靴中底構造である。
【背景技術】
【０００２】
一般の草履、サンダルの靴中底構造は密実なプラスチック材質の靴中底構造であり、この方式は靴中底としての機能は備えているが、多くの欠陥も存在している。ここでは公知の草履、サンダルの靴中底構造とその問題点について以下の通り説明する。
【考案の開示】
【考案が解決しようとする課題】
【０００３】
公知の草履、サンダルの靴中底構造は射出成形された密実構造の靴中底であり、当該密実構造の靴中底は使用者に着用機能を提供することはできるが、使用者が長期間着用した草履またはサンダルの靴中底である場合は水溜りなどを通過した際には、当該靴中底が密実構造であるため、容易に靴中底に水が滞留して排出することができないため、それを着用している使用者の足元は湿気を帯びて滑り易くなり、不快であるという欠点がもたらされる。従って、本件考案者は前記公知の草履、サンダルの靴中底構造の欠点を改善するため、草履、サンダルの靴中底の改良された構造の開発に遂に成功したのであり、当該靴中底は全体として形成されている均一に分布した不規則状の間隙を利用しており、重量が軽減されるばかりではなく中空現象は発生せず、かつ通気、排水機能を備えた構造であるため、使用者が着用する際の快適性は向上している。
【課題を解決するための手段】
【０００４】
上記のような従来の課題を解決した本考案は、草履、サンダル靴中底構造の改良であり、当該靴中底は楕円状プラスチック（例えばＥＶＡ（エチレン−酢酸ビニル重合体））による積層成形であり、かつ当該靴中底の各表面は凹凸状の不規則面として成形されており、各楕円状プラスチックの密接箇所はすべて相互に融合して接続されており中空現象は発生せず、当該靴中底には全体として均一に分布した不規則状の間隙が形成されていることを特徴とする草履、サンダルの靴中底構造の改良である。
【０００５】
当該楕円状プラスチック（例えばＥＶＡ（エチレン−酢酸ビニル重合体））により、当該靴中底の成形には水晶のような視覚効果が付与され、成形過程において色材を加えることにより、当該靴中底の色彩変化は豊富になることを特徴とする請求項１記載の草履、サンダルの靴中底構造の改良である。
【考案の効果】
【０００６】
本考案は上記したようになるから、次のような効果を得ることができる。まず、本考案の第一の効果は、当該靴中底には全体として均一に分布した不規則状の間隙が備わっているため、重量が軽減されるばかりではなく中空現象は発生せず、かつ通気、排水機能を備えることができる。
【０００７】
本考案の第二の効果は、当該楕円状プラスチック（例えばＥＶＡ（エチレン−酢酸ビニル重合体））を利用し、靴中底に水晶のような視覚効果を備えさせるとともに、成形過程において色材を加えることにより、それに豊富な色彩変化を備えさせ、美観の向上を図ることができる。
【０００８】
図１、図２に示されている通り、本考案は草履、サンダルの靴中底構造の改良に関するものである。
【考案を実施するための最良の形態】
【０００９】
本考案が上記の効果を達成する上で採用されている技術、手段及びその他の効果について、ここでは適正実施例を挙げるとともに、図面に基づき後記の通り詳細に説明することにより、本考案の効果、特徴及びその他利点についての理解がより深まることをその主眼とする。
【００１０】
そのうち当該靴中底（１０）は楕円状プラスチック（１１）（例えばＥＶＡ（エチレン−酢酸ビニル重合体））による積層成形であり、かつ当該靴中底（１０）の各表面は凹凸状の不規則面（１２）として成形されており、各楕円状プラスチック（１１）の密接箇所はすべて相互に融合して接続されており中空現象は発生せず、当該靴中底（１０）には全体として均一に分布した不規則状の間隙（１３）が形成されている。以上が本考案における各関連部分の相互関係位置とその構造についての概要である。
【実施例】
【００１１】
本考案のその他作用方式と効果についてより明確に説明するため、ここでは適正実施例を挙げるとともに図面に基づき以下に詳細に説明する。
【００１２】
図３に示されている通り、本考案の靴中底（１０）は楕円状プラスチック（１１）（例えばＥＶＡ（エチレン−酢酸ビニル重合体））が積層成形され、全体として均一に分布した不規則状の間隙（１３）が形成されているため、その重量は軽減され、また中空現象も発生していない。当該靴中底（１０）が湿気を帯びた場合には、当該不規則状の間隙（１３）を利用し、靴中底（１０）上の水分を排除することができるとともに、通気効果も備わっている。このように、本考案では当該靴中底（１０）に形成されている全体として均一に分布した不規則状の間隙（１３）を利用しているため、その重量を軽減することができるばかりではなく中空現象も発生せず、また水分は当該不規則状の間隙（１３）から排出されるため、それにより通気及び排水という目的は達成される。
【００１３】
また当該楕円状プラスチック（１１）（例えばＥＶＡ（エチレン−酢酸ビニル重合体））の光透過特性を利用し、当該靴中底（１０）には水晶のように透明に輝く視覚効果が備わっており、更に成形過程において色材を加えると、当該靴中底（１０）には豊富な色彩変化が備わるため、美観の向上という目的も達成される。
【００１４】
以上の通り、本件考案の構造設計では、当該靴中底は楕円状プラスチック（例えばＥＶＡ（エチレン−酢酸ビニル重合体））の積層成形であり、各楕円状プラスチックの密接箇所はすべて相互に融合して接続されており中空現象は発生せず、当該靴中底には全体として均一に分布した不規則状の間隙が形成されているため、当該不規則状の間隙により通気、排水機能を備え、重量は軽減されるという目的は達成される。また当該楕円状プラスチック（例えばＥＶＡ（エチレン−酢酸ビニル重合体））の光透過特性を利用し、当該靴中底には水晶のように透明に輝く視覚効果が備わっており、更に成形過程において色材を加えることにより、当該靴中底には豊富な色彩変化が備わるため、美観の向上という目的も達成される。
【図面の簡単な説明】
【００１５】
【図１】図１は本考案の上面図である。
【図２】図２は本考案の側面図である。
【図３】図３は本考案の部分拡大図である。
【符号の説明】
【００１６】
（１０）靴中底
（１１）楕円状プラスチック
（１２）凹凸状不規則面
（１３）不規則状間隙
【図１】
0003107284.tif 000003
【図２】
0003107284.tif 000004
【図３】
0003107284.tif 000005
【手続補正書】
【提出日】平成16年9月17日(2004.9.17)
【手続補正１】
【補正対象書類名】実用新案登録請求の範囲
【補正対象項目名】全文
【補正方法】変更
【補正の内容】
【実用新案登録請求の範囲】
【請求項１】
草履、サンダル靴中底構造であり、当該靴中底は楕円状プラスチックによる積層成形であり、かつ当該靴中底の各表面は凹凸状の不規則面として成形されており、各楕円状プラスチックの密接箇所はすべて相互に融合して接続されており中空現象は発生せず、当該靴中底には全体として均一に分布した不規則状の間隙が形成されていることを特徴とする草履、サンダルの靴中底構造。
【請求項２】
当該楕円状プラスチックにより、当該靴中底の成形には水晶のような視覚効果が付与され、成形過程において色材を加えることにより、当該靴中底の色彩変化は豊富になることを特徴とする請求項１記載の草履、サンダルの靴中底構造。
【手続補正２】
【補正対象書類名】明細書
【補正対象項目名】全文
【補正方法】変更
【補正の内容】
【考案の詳細な説明】
【技術分野】
【０００１】
本考案は草履、サンダルの靴中底構造であり、それは楕円状プラスチック（例えばＥＶＡ（エチレン−酢酸ビニル重合体））により積層成形されており、各楕円状プラスチックの密接箇所は相互に融合して接続されているため、全体として均一に分布した不規則状の間隙が形成されているとともに中空現象は発生していない草履、サンダルの靴中底構造である。
【背景技術】
【０００２】
一般の草履、サンダルの靴中底構造は密実なプラスチック材質の靴中底構造であり、この方式は靴中底としての機能は備えているが、多くの欠陥も存在している。ここでは公知の草履、サンダルの靴中底構造とその問題点について以下の通り説明する。
【考案の開示】
【考案が解決しようとする課題】
【０００３】
公知の草履、サンダルの靴中底構造は射出成形された密実構造の靴中底であり、当該密実構造の靴中底は使用者に着用機能を提供することはできるが、使用者が長期間着用した草履またはサンダルの靴中底である場合は水溜りなどを通過した際には、当該靴中底が密実構造であるため、容易に靴中底に水が滞留して排出することができないため、それを着用している使用者の足元は湿気を帯びて滑り易くなり、不快であるという欠点がもたらされる。従って、本件考案者は前記公知の草履、サンダルの靴中底構造の欠点を改善するため、草履、サンダルの靴中底の改良された構造の開発に遂に成功したのであり、当該靴中底は全体として形成されている均一に分布した不規則状の間隙を利用しており、重量が軽減されるばかりではなく中空現象は発生せず、かつ通気、排水機能を備えた構造であるため、使用者が着用する際の快適性は向上している。
【課題を解決するための手段】
【０００４】
上記のような従来の課題を解決した本考案は、草履、サンダル靴中底構造であり、当該靴中底は楕円状プラスチック（例えばＥＶＡ（エチレン−酢酸ビニル重合体））による積層成形であり、かつ当該靴中底の各表面は凹凸状の不規則面として成形されており、各楕円状プラスチックの密接箇所はすべて相互に融合して接続されており中空現象は発生せず、当該靴中底には全体として均一に分布した不規則状の間隙が形成されていることを特徴とする草履、サンダルの靴中底構造である。
【０００５】
当該楕円状プラスチック（例えばＥＶＡ（エチレン−酢酸ビニル重合体））により、当該靴中底の成形には水晶のような視覚効果が付与され、成形過程において色材を加えることにより、当該靴中底の色彩変化は豊富になることを特徴とする請求項１記載の草履、サンダルの靴中底構造である。
【考案の効果】
【０００６】
本考案は上記したようになるから、次のような効果を得ることができる。まず、本考案の第一の効果は、当該靴中底には全体として均一に分布した不規則状の間隙が備わっているため、重量が軽減されるばかりではなく中空現象は発生せず、かつ通気、排水機能を備えることができる。
【０００７】
本考案の第二の効果は、当該楕円状プラスチック（例えばＥＶＡ（エチレン−酢酸ビニル重合体））を利用し、靴中底に水晶のような視覚効果を備えさせるとともに、成形過程において色材を加えることにより、それに豊富な色彩変化を備えさせ、美観の向上を図ることができる。
【０００８】
図１、図２に示されている通り、本考案は草履、サンダルの靴中底構造に関するものである。
【考案を実施するための最良の形態】
【０００９】
本考案が上記の効果を達成する上で採用されている技術、手段及びその他の効果について、ここでは適正実施例を挙げるとともに、図面に基づき後記の通り詳細に説明することにより、本考案の効果、特徴及びその他利点についての理解がより深まることをその主眼とする。
【００１０】
そのうち当該靴中底（１０）は楕円状プラスチック（１１）（例えばＥＶＡ（エチレン−酢酸ビニル重合体））による積層成形であり、かつ当該靴中底（１０）の各表面は凹凸状の不規則面（１２）として成形されており、各楕円状プラスチック（１１）の密接箇所はすべて相互に融合して接続されており中空現象は発生せず、当該靴中底（１０）には全体として均一に分布した不規則状の間隙（１３）が形成されている。以上が本考案における各関連部分の相互関係位置とその構造についての概要である。
【実施例】
【００１１】
本考案のその他作用方式と効果についてより明確に説明するため、ここでは適正実施例を挙げるとともに図面に基づき以下に詳細に説明する。
【００１２】
図３に示されている通り、本考案の靴中底（１０）は楕円状プラスチック（１１）（例えばＥＶＡ（エチレン−酢酸ビニル重合体））が積層成形され、全体として均一に分布した不規則状の間隙（１３）が形成されているため、その重量は軽減され、また中空現象も発生していない。当該靴中底（１０）が湿気を帯びた場合には、当該不規則状の間隙（１３）を利用し、靴中底（１０）上の水分を排除することができるとともに、通気効果も備わっている。このように、本考案では当該靴中底（１０）に形成されている全体として均一に分布した不規則状の間隙（１３）を利用しているため、その重量を軽減することができるばかりではなく中空現象も発生せず、また水分は当該不規則状の間隙（１３）から排出されるため、それにより通気及び排水という目的は達成される。
【００１３】
また当該楕円状プラスチック（１１）（例えばＥＶＡ（エチレン−酢酸ビニル重合体））の光透過特性を利用し、当該靴中底（１０）には水晶のように透明に輝く視覚効果が備わっており、更に成形過程において色材を加えると、当該靴中底（１０）には豊富な色彩変化が備わるため、美観の向上という目的も達成される。
【００１４】
以上の通り、本件考案の構造設計では、当該靴中底は楕円状プラスチック（例えばＥＶＡ（エチレン−酢酸ビニル重合体））の積層成形であり、各楕円状プラスチックの密接箇所はすべて相互に融合して接続されており中空現象は発生せず、当該靴中底には全体として均一に分布した不規則状の間隙が形成されているため、当該不規則状の間隙により通気、排水機能を備え、重量は軽減されるという目的は達成される。また当該楕円状プラスチック（例えばＥＶＡ（エチレン−酢酸ビニル重合体））の光透過特性を利用し、当該靴中底には水晶のように透明に輝く視覚効果が備わっており、更に成形過程において色材を加えることにより、当該靴中底には豊富な色彩変化が備わるため、美観の向上という目的も達成される。
【図面の簡単な説明】
【００１５】
【図１】図１は本考案の上面図である。
【図２】図２は本考案の側面図である。
【図３】図３は本考案の部分拡大図である。
【符号の説明】
【００１６】
（１０）靴中底
（１１）楕円状プラスチック
（１２）凹凸状不規則面
（１３）不規則状間隙